【手続補正書】
【提出日】令和3年9月17日(2021.9.17)
【手続補正１】
【補正対象書類名】特許請求の範囲
【補正対象項目名】全文
【補正方法】変更
【補正の内容】
【特許請求の範囲】
【請求項１】
光をユーザの眼に投影し、拡張現実画像コンテンツを前記ユーザの視野内に表示するように構成される頭部搭載型ディスプレイシステムであって、前記頭部搭載型ディスプレイシステムは、
フレームであって、前記フレームは、前記ユーザの頭部上に支持されるように構成される、フレームと、
画像プロジェクタであって、前記画像プロジェクタは、画像を前記ユーザの眼の中に投影し、画像コンテンツを前記ユーザの視野内に表示するように構成される、画像プロジェクタと、
カメラと、
少なくとも１つの導波管と、
少なくとも１つの結合光学要素であって、前記少なくとも１つの結合光学要素は、光が、前記導波管の中に結合され、その中で誘導されるように構成される、少なくとも１つの結合光学要素と、
少なくとも１つの外部結合要素であって、前記少なくとも１つの外部結合要素は、前記導波管内で誘導される光を前記導波管から外に結合し、前記光を前記カメラに指向するように構成される、少なくとも１つの外部結合要素と
を備え、
前記少なくとも１つの結合光学要素、または、前記少なくとも１つの外部結合要素、または、両方は、回折光学要素を備え、
前記カメラは、画像が前記カメラによって捕捉され得るように、前記少なくとも１つの外部結合光学要素に対して光学経路内に配置され、前記結合要素を介して前記導波管の中に結合され、その中で誘導され、前記外部結合要素によって前記導波管から外に結合される、前記光の少なくとも一部を受け取る、頭部搭載型ディスプレイシステム。
【請求項２】
前記少なくとも１つの結合光学要素は、環境の画像が前記カメラによって捕捉され得るように、前記頭部搭載型ディスプレイシステムを装着している前記ユーザの正面の前記環境からの光が、前記少なくとも１つの導波管の中に結合され、その中で誘導されるように構成される、請求項１に記載のシステム。
【請求項３】
前記少なくとも１つの結合光学要素は、前記眼の画像が前記カメラによって捕捉され得るように、前記頭部搭載型ディスプレイシステムを装着している前記ユーザの眼から反射された光が、前記少なくとも１つの導波管の中に結合され、その中で誘導されるように構成される、請求項１に記載のシステム。
【請求項４】
前記少なくとも１つの結合光学要素は、前記眼の画像が前記カメラによって捕捉され得るように、前記頭部搭載型ディスプレイシステムを装着している前記ユーザの眼から反射された光が、前記導波管の中に結合され、その中で誘導されるように構成され、前記システムは、前記眼の前部部分を結像するように構成される、請求項１に記載のシステム。
【請求項５】
前記少なくとも１つの結合光学要素は、前記眼の画像が前記カメラによって捕捉され得るように、前記頭部搭載型ディスプレイシステムを装着している前記ユーザの眼から反射された光が、前記導波管の中に結合され、その中で誘導されるように構成され、前記システムは、前記眼の角膜表面を結像するように構成される、請求項１に記載のシステム。
【請求項６】
前記少なくとも１つの結合光学要素は、前記眼の画像が前記カメラによって捕捉され得るように、前記頭部搭載型ディスプレイシステムを装着している前記ユーザの眼から反射された光が、前記導波管の中に結合され、その中で誘導されるように構成され、前記システムは、前記ユーザの眼の網膜を結像するように構成される、請求項１に記載のシステム。
【請求項７】
前記フレーム上に配置される接眼レンズをさらに備え、前記接眼レンズは、光を前記ユーザの眼の中に指向し、拡張現実画像コンテンツを前記ユーザの視野に表示するように構成され、前記接眼レンズの少なくとも一部は、透明であり、前記透明部分が、前記ユーザの正面の環境からの光を前記ユーザの眼に透過させ、前記ユーザの正面の環境のビューを提供するように、前記ユーザが前記頭部搭載型ディスプレイを装着すると、前記ユーザの眼の正面の場所に配置される、請求項１に記載のシステム。
【請求項８】
前記接眼レンズは、前記画像プロジェクタからの光を受け取り、前記光を前記ユーザの眼の中に指向し、拡張現実画像コンテンツを前記ユーザの視野に表示するように構成される、請求項７に記載のシステム。
【請求項９】
前記接眼レンズは、前記少なくとも１つの導波管を備える、請求項７に記載のシステム。
【請求項１０】
前記画像プロジェクタは、光を前記接眼レンズの縁の中に指向するように構成される、請求項７に記載のシステム。
【請求項１１】
前記画像プロジェクタは、光を前記少なくとも１つの導波管の縁の中に指向するように構成される、請求項９に記載のシステム。
【請求項１２】
前記画像コンテンツを前記ユーザの眼に提供するために、前記画像プロジェクタからの光を誘導するように、前記画像プロジェクタからの光を前記少なくとも１つの導波管の中に内部結合するように構成される少なくとも１つの内部結合光学要素をさらに備える、請求項１に記載のシステム。
【請求項１３】
前記少なくとも１つの結合光学要素はまた、画像コンテンツが前記ユーザの眼によって視認されることができるように、前記導波管内で誘導される前記画像プロジェクタからの光を前記少なくとも１つの導波管から外に結合するように構成される、請求項１に記載のシステム。
【請求項１４】
同一結合光学要素が、画像コンテンツが前記ユーザの眼によって視認されることができるように、前記導波管内で誘導される前記画像プロジェクタからの光を前記導波管から外に結合し、前記カメラまで前記少なくとも１つの導波管の中で誘導されるように、光を前記少なくとも１つの導波管の中に結合するように構成される、請求項１に記載のシステム。
【請求項１５】
画像コンテンツが前記ユーザの眼によって視認されることができるように、前記導波管内で誘導される前記画像プロジェクタからの光を前記少なくとも１つの導波管から外に結合するように構成される少なくとも１つの画像コンテンツ外部結合光学要素をさらに備える、請求項１に記載のシステム。
【請求項１６】
前記少なくとも１つの結合光学要素は、前記頭部搭載型結像システムを装着している前記ユーザの眼に面し、前記眼からの光を受け取る、請求項１に記載のシステム。
【請求項１７】
前記少なくとも１つの結合光学要素は、環境の画像が前記カメラによって捕捉され得るように、前記頭部搭載型結像システムを装着している前記ユーザの正面の前記環境からの光が、前記少なくとも１つの導波管の中に結合され、前記少なくとも１つの導波管の中で誘導されるように構成される、請求項１に記載のシステム。
【請求項１８】
前記少なくとも１つの結合光学要素は、前記頭部搭載型結像システムを装着している前記ユーザの正面の環境に面し、前記環境からの光を受け取る、請求項１に記載のシステム。
【請求項１９】
前記導波管内で誘導される前記画像プロジェクタからの光を前記少なくとも１つの導波管から外に結合するように構成される前記少なくとも１つの画像コンテンツ外部結合光学要素、および、前記光が、前記導波管の中に結合され、前記導波管の中で前記カメラまで誘導されるように構成される少なくとも１つの結合光学要素は、相互の上に重畳される、請求項１５に記載のシステム。
【請求項２０】
前記導波管内で誘導される前記画像プロジェクタからの光を前記少なくとも１つの導波管から外に結合するように構成される前記少なくとも１つの画像コンテンツ外部結合光学要素、および、前記光が、前記導波管の中に結合され、前記導波管の中で前記カメラまで誘導されるように構成される少なくとも１つの結合光学要素は、他方にわたってスタックされる、請求項１５に記載のシステム。
【請求項２１】
前記少なくとも１つの結合光学要素は、液晶を備える、請求項１に記載のシステム。
【請求項２２】
前記少なくとも１つの結合光学要素は、液晶偏光格子を備える、請求項１に記載のシステム。
【請求項２３】
前記少なくとも１つの外部結合光学要素は、液晶を備える、請求項１に記載のシステム。
【請求項２４】
前記少なくとも１つの外部結合光学要素は、液晶偏光格子を備える、請求項１に記載のシステム。
【手続補正２】
【補正対象書類名】明細書
【補正対象項目名】０００８
【補正方法】変更
【補正の内容】
【０００８】
いくつかの実施形態では、頭部搭載型ディスプレイシステムは、光をユーザの眼に投影し、拡張現実画像コンテンツを該ユーザの視野内に表示するように構成される。頭部搭載型ディスプレイシステムは、ユーザの頭部上に支持されるように構成される、フレームを含むことができる。ディスプレイシステムはまた、画像をユーザの眼の中に投影し、画像コンテンツをユーザの視野内に表示するように構成される、画像プロジェクタを含むことができる。ディスプレイシステムは、カメラと、少なくとも１つの導波管と、光が、該導波管の中に結合され、その中で誘導されるように構成される、少なくとも１つの結合光学要素と、少なくとも１つの外部結合要素とを含むことができる。少なくとも１つの外部結合要素は、該導波管内で誘導される光を該導波管から外に結合し、該光を該カメラに指向するように構成されることができる。カメラは、画像が該カメラによって捕捉され得るように、該少なくとも１つの外部結合光学要素に対して光学経路内に配置され、結合要素を介して該導波管の中に結合され、その中で誘導され、該外部結合要素によって該導波管から外に結合される、光の少なくとも一部を受け取ることができる。
本発明は、例えば、以下を提供する。
（項目１）
光をユーザの眼に投影し、拡張現実画像コンテンツを前記ユーザの視野内に表示するように構成される頭部搭載型ディスプレイシステムであって、前記頭部搭載型ディスプレイシステムは、
フレームであって、前記フレームは、前記ユーザの頭部上に支持されるように構成される、フレームと、
画像プロジェクタであって、前記画像プロジェクタは、画像を前記ユーザの眼の中に投影し、画像コンテンツを前記ユーザの視野内に表示するように構成される、画像プロジェクタと、
カメラと、
少なくとも１つの導波管と、
少なくとも１つの結合光学要素であって、前記少なくとも１つの結合光学要素は、光が、前記導波管の中に結合され、その中で誘導されるように構成される、少なくとも１つの結合光学要素と、
少なくとも１つの外部結合要素であって、前記少なくとも１つの外部結合要素は、前記導波管内で誘導される光を前記導波管から外に結合し、前記光を前記カメラに指向するように構成される、少なくとも１つの外部結合要素と
を備え、
前記カメラは、画像が前記カメラによって捕捉され得るように、前記少なくとも１つの外部結合光学要素に対して光学経路内に配置され、前記結合要素を介して前記導波管の中に結合され、その中で誘導され、前記外部結合要素によって前記導波管から外に結合される、前記光の少なくとも一部を受け取る、頭部搭載型ディスプレイシステム。
（項目２）
前記少なくとも１つの結合光学要素は、前記環境の画像が前記カメラによって捕捉され得るように、前記頭部搭載型ディスプレイシステムを装着している前記ユーザの正面の環境からの光が、前記少なくとも１つの導波管の中に結合され、その中で誘導されるように構成される、項目１に記載のシステム。
（項目３）
前記少なくとも１つの結合光学要素は、前記眼の画像が前記カメラによって捕捉され得るように、前記頭部搭載型ディスプレイシステムを装着している前記ユーザの眼から反射された光が、前記少なくとも１つの導波管の中に結合され、その中で誘導されるように構成される、項目１に記載のシステム。
（項目４）
前記少なくとも１つの結合光学要素は、前記眼の画像が前記カメラによって捕捉され得るように、前記頭部搭載型ディスプレイシステムを装着している前記ユーザの眼から反射された光が、前記導波管の中に結合され、その中で誘導されるように構成され、前記システムは、前記眼の前部部分を結像するように構成される、項目１に記載のシステム。
（項目５）
前記少なくとも１つの結合光学要素は、前記眼の画像が前記カメラによって捕捉され得るように、前記頭部搭載型ディスプレイシステムを装着している前記ユーザの眼から反射された光が、前記導波管の中に結合され、その中で誘導されるように構成され、前記システムは、前記眼の角膜表面を結像するように構成される、項目１に記載のシステム。
（項目６）
前記少なくとも１つの結合光学要素は、前記眼の画像が前記カメラによって捕捉され得るように、前記頭部搭載型ディスプレイシステムを装着している前記ユーザの眼から反射された光が、前記導波管の中に結合され、その中で誘導されるように構成され、前記システムは、前記ユーザの眼の網膜を結像するように構成される、項目１に記載のシステム。
（項目７）
前記フレーム上に配置される接眼レンズをさらに備え、前記接眼レンズは、光を前記ユーザの眼の中に指向し、拡張現実画像コンテンツをユーザの視野に表示するように構成され、前記接眼レンズの少なくとも一部は、透明であり、前記透明部分が、前記ユーザの正面の環境からの光をユーザの眼に透過させ、前記ユーザの正面の環境のビューを提供するように、前記ユーザが前記頭部搭載型ディスプレイを装着すると、前記ユーザの眼の正面の場所に配置される、項目１に記載のシステム。
（項目８）
前記接眼レンズは、前記画像プロジェクタからの光を受け取り、前記光を前記ユーザの眼の中に指向し、拡張現実画像コンテンツをユーザの視野に表示するように構成される、項目７に記載のシステム。
（項目９）
前記接眼レンズは、前記少なくとも１つの導波管を備える、項目７に記載のシステム。
（項目１０）
前記画像プロジェクタは、光を前記接眼レンズの縁の中に指向するように構成される、項目７に記載のシステム。
（項目１１）
前記画像プロジェクタは、光を前記少なくとも１つの導波管の縁の中に指向するように構成される、項目９に記載のシステム。
（項目１２）
前記画像コンテンツを前記ユーザの眼に提供するために、前記画像プロジェクタからの光を誘導するように、前記画像プロジェクタからの光を前記少なくとも１つの導波管の中に内部結合するように構成される少なくとも１つの内部結合光学要素をさらに備える、項目１に記載のシステム。
（項目１３）
前記少なくとも１つの結合光学要素はまた、画像コンテンツがユーザの眼によって視認され得るように、前記導波管内で誘導される前記画像プロジェクタからの光を前記少なくとも１つの導波管から外に結合するように構成される、項目１に記載のシステム。
（項目１４）
同一結合光学要素が、画像コンテンツがユーザの眼によって視認され得るように、前記導波管内で誘導される前記画像プロジェクタからの光を前記導波管から外に結合し、前記カメラまで前記少なくとも１つの導波管の中で誘導されるように、光を前記少なくとも１つの導波管の中に結合するように構成される、項目１に記載のシステム。
（項目１５）
画像コンテンツがユーザの眼によって視認され得るように、前記導波管内で誘導される前記画像プロジェクタからの光を前記少なくとも１つの導波管から外に結合するように構成される少なくとも１つの画像コンテンツ外部結合光学要素をさらに備える、項目１に記載のシステム。
（項目１６）
前記少なくとも１つの結合光学要素は、前記頭部搭載型結像システムを装着している前記ユーザの眼に面し、前記眼からの光を受け取る、項目１に記載のシステム。
（項目１７）
前記少なくとも１つの結合光学要素は、前記環境の画像が前記カメラによって捕捉され得るように、前記頭部搭載型結像システムを装着している前記ユーザの正面の環境からの光が、前記少なくとも１つの導波管の中に結合され、前記少なくとも１つの導波管の中で誘導されるように構成される、項目１に記載のシステム。
（項目１８）
前記少なくとも１つの結合光学要素は、前記頭部搭載型結像システムを装着している前記ユーザの正面の環境に面し、前記環境からの光を受け取る、項目１に記載のシステム。
（項目１９）
前記導波管内で誘導される前記画像プロジェクタからの光を前記少なくとも１つの導波管から外に結合するように構成される前記少なくとも１つの画像コンテンツ外部結合光学要素と、前記光が、前記導波管の中に結合され、前記導波管の中で前記カメラまで誘導されるように構成される少なくとも１つの結合光学要素は、相互の上に重畳される、項目１５に記載のシステム。
（項目２０）
前記導波管内で誘導される前記画像プロジェクタからの光を前記少なくとも１つの導波管から外に結合するように構成される前記少なくとも１つの画像コンテンツ外部結合光学要素と、前記光が、前記導波管の中に結合され、前記導波管の中で前記カメラまで誘導されるように構成される少なくとも１つの結合光学要素は、他方にわたってスタックされる、項目１５に記載のシステム。